(57)【要約】  【課題】適切な耕耘作業ができる部分深耕機を提供する。  【解決手段】部分深耕機１はトラクタの走行により移動しながら圃場の深い位置の土まで耕耘するチゼルプラウである。部分深耕機１は機枠２を備え、機枠２には下端部にチゼル部10を有する支持体11を設ける。支持体11には、圃場の土を切削して持ち上げて放てきする土作業体21を設ける。機枠２には、土作業体21より進行方向前方に位置して圃場表面部の土を切断する回転可能なコルター43をコルター支持アーム41を介して設ける。  【選択図】図１
2005124470.tif 000002
【特許請求の範囲】
【請求項１】
走行車の走行により移動しながら圃場の深い位置の土まで耕耘する部分深耕機であって、
前記走行車に連結される機枠と、
この機枠に設けられ、下端部にチゼル部を有する支持体と、
この支持体に設けられ、圃場の土を切削して持ち上げて放てきする土作業体と、
この土作業体より進行方向前方に位置して圃場表面部の土を切断するコルターと
を備えることを特徴とする部分深耕機。
【請求項２】
コルターは、土作業体にて持ち上げられる土の左右いずれか一側方への移動を規制する
ことを特徴とする請求項１記載の部分深耕機。
【請求項３】
コルターは、土作業体に近接した状態で位置する
ことを特徴とする請求項２記載の部分深耕機。
【請求項４】
コルターは、左右位置調節可能となっている
ことを特徴とする請求項１記載の部分深耕機。
【請求項５】
コルターは、土作業体の幅方向一端縁部の進行方向前方付近の第１位置、前記土作業体の幅方向中央部の進行方向前方付近の第２位置、および前記土作業体の幅方向他端縁部の進行方向前方付近の第３位置に選択的に位置変更可能となっている
ことを特徴とする請求項１記載の部分深耕機。
【発明の詳細な説明】
【技術分野】
【０００１】
本発明は、適切な耕耘作業ができる部分深耕機に関するものである。
【背景技術】
【０００２】
従来、走行車の走行により移動しながら圃場の深い位置の土まで耕耘する部分深耕機（チゼルプラウ）としては、例えば上端側が側方に向ってねじられた縦長状のねじり板にて構成された土作業体を備え、この土作業体で圃場の土を切削して持ち上げて反転放てきするようにした部分深耕機が知られている（例えば、特許文献１参照）。
【特許文献１】特開平９−３２２６０１号公報
【発明の開示】
【発明が解決しようとする課題】
【０００３】
しかしながら、上記従来の部分深耕機では、例えば圃場の土質によっては圃場表面部の土の切断が不十分となるおそれがあり、適切な耕耘作業ができないという問題がある。
【０００４】
本発明は、このような点に鑑みなされたもので、適切な耕耘作業ができる部分深耕機を提供することを目的とする。
【課題を解決するための手段】
【０００５】
請求項１記載の部分深耕機は、走行車の走行により移動しながら圃場の深い位置の土まで耕耘する部分深耕機であって、前記走行車に連結される機枠と、この機枠に設けられ、下端部にチゼル部を有する支持体と、この支持体に設けられ、圃場の土を切削して持ち上げて放てきする土作業体と、この土作業体より進行方向前方に位置して圃場表面部の土を切断するコルターとを備えるものである。
【０００６】
そして、コルターが土作業体より進行方向前方に位置して圃場表面部の土を切断するため、砕土性が向上する。
【０００７】
請求項２記載の部分深耕機は、請求項１記載の部分深耕機において、コルターは、土作業体にて持ち上げられる土の左右いずれか一側方への移動を規制するものである。
【０００８】
そして、コルターが土作業体にて持ち上げられる土の左右いずれか一側方への移動を規制するため、土が一側方に向って崩れ落ちることが防止される。
【０００９】
請求項３記載の部分深耕機は、請求項２記載の部分深耕機において、コルターは、土作業体に近接した状態で位置するものである。
【００１０】
そして、コルターが土作業体に近接した状態で位置するため、土が一側方に向って崩れ落ちることが効果的に防止される。
【００１１】
請求項４記載の部分深耕機は、請求項１記載の部分深耕機において、コルターは、左右位置調節可能となっているものである。
【００１２】
そして、コルターの左右位置を調節することによって作業状況等に適切に対応することが可能となる。
【００１３】
請求項５記載の部分深耕機は、請求項１記載の部分深耕機において、コルターは、土作業体の幅方向一端縁部の進行方向前方付近の第１位置、前記土作業体の幅方向中央部の進行方向前方付近の第２位置、および前記土作業体の幅方向他端縁部の進行方向前方付近の第３位置に選択的に位置変更可能となっているものである。
【００１４】
そして、コルターの位置を第１位置、第２位置および第３位置に選択的に変更することによって作業状況等に適切に対応することが可能となる。
【発明の効果】
【００１５】
請求項１記載の部分深耕機によれば、コルターが土作業体より進行方向前方に位置して圃場表面部の土を切断するため、砕土性が向上し、適切な耕耘作業ができる。
【００１６】
請求項２記載の部分深耕機によれば、コルターが土作業体にて持ち上げられる土の左右いずれか一側方への移動を規制するため、土が一側方に向って崩れ落ちることが防止され、土を片側へのみ放てきできる。
【００１７】
請求項３記載の部分深耕機によれば、コルターが土作業体に近接した状態で位置するため、土が一側方に向って崩れ落ちることを効果的に防止できる。
【００１８】
請求項４記載の部分深耕機によれば、コルターの左右位置を調節することによって作業状況等に適切に対応することができる。
【００１９】
請求項５記載の部分深耕機によれば、コルターの位置を第１位置、第２位置および第３位置に選択的に変更することによって作業状況等に適切に対応することができる。
【発明を実施するための最良の形態】
【００２０】
本発明の部分深耕機の一実施の形態を図面を参照して説明する。
【００２１】
図１および図２において、１は部分深耕機（チゼルプラウ）で、この部分深耕機１は、走行車であるトラクタ（図示せず）の後部に前部を連結して使用する牽引式のものである。
【００２２】
そして、部分深耕機１は、トラクタの走行（牽引動作）により圃場を進行方向（図示Ｘ）に移動しながら、圃場の深い位置（耕耘深さは例えば３０〜４５ｃｍ）の土（例えば心土層の土である心土）まで耕耘する耕耘作業機である。
【００２３】
なお、部分深耕機１は、圃場の心土層および耕盤層を幅狭状（作業幅は例えば７〜８ｃｍ）に切削するとともにこの切削された土を圃場表面上方まで持ち上げてその圃場表面上に反転放てきすることにより下層土と上層土とを混和させるもので、プラウの天地返しとサブソイラの心土破砕との両方の機能を発揮しうるものである。
【００２４】
部分深耕機１は、図示しないトラクタの後部の３点リンク部（作業機昇降支持装置）に前部が連結された機枠２を備えている。
【００２５】
機枠２は、左右方向にやや長手状の主フレーム部３を有し、この主フレーム部３には走行車連結部であるトラクタ連結部４が前方に向って突出状に設けられている。トラクタ連結部４には、トラクタの後部の３点リンク部が連結されている。なお、機枠２のトラクタ連結部４は、トップピン５を先端部に有するトップマスト６と、ロワピン７を先端部に有する左右一対のロワアーム８とにて構成されている。
【００２６】
また、主フレーム部３の左右方向略中央からは略板状の枠部９が後方に向って突出している。そして、枠部９の後端部には、下端部に所定の作業幅をもって圃場の土を切削して持ち上げる略板状のチゼル部10を有し耕耘作業時には圃場の土中深く挿入される縦長状の支持体（チゼル付ビーム）11が機枠２から下方に向って突出した状態に設けられている。
【００２７】
支持体11は、上下方向に長手状で略下半部が湾曲した略板状に形成され耕耘作業時にはその略下半部が土中を移動する支持本体部12を有し、この支持本体部12の上端部が機枠２の枠部９の後端部に着脱可能に連結されている。
【００２８】
そして、支持体11の支持本体部12の下端部前側には、湾曲面状の作用面部14で圃場の土を切削して持ち上げる金属製のチゼル部（先金）10が設けられている。すなわち、チゼル部10の作用面部14から後方に向って突出した取付部15が支持本体部12の下端部前側に固定具16にて固定されている。支持本体部12の下端部後側には、ウイング17が上下方向に回動可能に設けられている。
【００２９】
また、支持体11の支持本体部12の上下方向中間部には、所定の作業幅をもってチゼル部10の作用面部14からの土を受け入れて持ち上げて側方に反転放てきするとともに圃場の土を切削して持ち上げて側方に反転放てきする縦長状で略板状の土作業体21がチゼル部10に連続するように設けられている。
【００３０】
ここで、土作業体21は、湾曲面状の作用面部24でチゼル部10の作用面部14からの土を受け入れて圃場表面近傍まで持ち上げるとともに自らも圃場の土を切削して圃場表面近傍まで持ち上げる第１土作業部である切削部25と、湾曲面状の作用面部27で下方の切削部25からの土を受け入れて圃場表面上方まで持ち上げて側方に向けて反転放てきする第２土作業部である反転部28とを有している。
【００３１】
切削部25は、進行方向前方を向いた作用面部24とこの作用面部24から後方に向って突出した取付部29とにて構成され、この取付部29が支持本体部12に固定具30にて固定されている。
【００３２】
反転部28は、進行方向前方に対してやや傾斜した右斜め前方を向いた作用面部27とこの作用面部27から後方に向って突出した取付部31とにて構成され、この取付部31が支持本体部12に固定具32にて固定されている。反転部28の作用面部27の上半部は、下半部より幅広状に形成されている。
【００３３】
なお、切削部25の作用面部24および反転部28の作用面部27は、いずれも、例えば土付着が軽減されるよう合成樹脂板36とこの合成樹脂板36を支持した支持補強板37とにて構成されている。
【００３４】
また、機枠２の枠部９の前端部には、コルター支持手段であるコルター支持アーム41が上下位置調節可能に設けられている。
【００３５】
そして、コルター支持アーム41の下端部には、土作業体21より進行方向前方に位置して圃場表面部の土を垂直切断するコルター43が左右方向の支軸44を中心として回転可能に設けられている。なお、コルター43は、圃場から受ける力によってコルター43の後部が上動する方向（図示Ｙ）に向って回転し、この所定方向への回転によりチゼル部10および土作業体21による土の持上げを補助する。
【００３６】
コルター43は、例えば垂直面に沿った薄い略円板状のもので、このコルター43の外周部には半楕円状の複数の切欠部45が周方向に等間隔をおいて形成されている。
【００３７】
また、コルター43は、土の切断および土の持上げ補助に加え、土作業体21の幅方向端縁部である左端縁部の進行方向前方付近に位置してチゼル部10および土作業体21にて持ち上げられる土の左右いずれか一側方、例えば進行方向左側方への移動を規制する。
【００３８】
すなわち例えば、コルター43は、土作業体21の切削部25の左端縁部の進行方向前方位置から左側方（外側方）に若干ずれた位置（例えば図示Ａは約１ｃｍ）に位置した状態で、その一部分（図１中、斜線部分）によってチゼル部10および土作業体21にて持ち上げられる土の進行方向左側方への移動を規制する。
【００３９】
コルター43の回転中心である支軸44は、側面視でチゼル部10の先端の略真上に位置し、略円弧状の土作業体21の円弧中心と略一致する。
【００４０】
なお、図示しないが、コルター43が土作業体21の切削部25の幅方向端縁部の進行方向前方位置に位置するようにしてもよい。すなわち正面視でコルター43と切削部25の幅方向端縁部とが一致するようにしてもよい。また、コルター43は、土作業体21の切削部25の左端縁部の進行方向前方位置から右側方（内側方）に若干（例えば約１ｃｍ）ずれた位置に位置させてもよい。
【００４１】
さらに、コルター支持アーム41の中間部には、チゼル部10および土作業体21にて持ち上げられる土およびコルター43からの土を左右いずれか一側方、例えば進行方向右側方に向けて誘導する略板状の補助土作業体47が取付部材48を介して取り付けられている。補助土作業体47は、略矩形板状のもので、例えば側面視でコルター43および土作業体21間の上方に位置する。
【００４２】
次に、上記一実施の形態の作用等を説明する。
【００４３】
部分深耕機１を使用して耕耘作業をする場合、図示しないトラクタの３点リンク部に機枠２のトラクタ連結部４を連結することにより、トラクタの３点リンク部に部分深耕機１を連結装着する。
【００４４】
その後、トラクタの３点リンク部を作動させて部分深耕機１を所定量下降させることにより、支持体11を圃場の土中に深く挿入するとともに、コルター43の下端部を圃場表面部の土中に挿入する。
【００４５】
そして、この状態で、トラクタの前進走行させて部分深耕機１を進行方向前方に移動させると、土作業体21の左端縁部の進行方向前方付近の位置でコルター43にて圃場表面部の土が切断されてその圃場表面部がわれ易い状態になるとともに、チゼル部10および土作業体21にて圃場の土が切削されて持ち上げられ、切削土は進行方向右側方に向けて反転放てきされる。すなわち、切削土は片側へのみ放てきされる。
【００４６】
ここで、チゼル部10および土作業体21にて持ち上げられた土の一部は、コルター43にて進行方向左側方への移動が規制されるため、進行方向左側方に向って崩れ落ちるようなことがなく、コルター43の所定方向への回転により後上方に向けて押し上げられてスムーズに流れ、補助土作業体47にて進行方向右側方に向けて誘導されて反転放てきされる。
【００４７】
このように部分深耕機１によれば、コルター43が圃場表面部の土を切断するとともに、所定方向への回転によりチゼル部10および土作業体21による土の持上げを補助するため、砕土性の向上、トラクタの牽引抵抗の軽減等を図ることができ、かつ土のスムーズな流れを実現でき、よって適切な耕耘作業ができ、後作業である砕土・均平作業等も容易となる。
【００４８】
また、コルター43が土作業体21の左端縁部の進行方向前方付近に位置してチゼル部10および土作業体21にて持ち上げられる土の進行方向左側方への移動を規制するため、土が進行方向左側方に向って崩れ落ちることが防止され、土を片側へのみ放てきでき、圃場の境或いはハウス内の圃場外周等で有効な作業ができる。
【００４９】
なお、土の片側放てきを確実なものとするために、図３および図４に示すように、コルター43および土作業体21間の間隙Ｓを小さくして、コルター43が土作業体21に近接した状態で位置する構成としてもよい。
【００５０】
図３および図４に示す部分深耕機１は、コルター43および土作業体21間の間隙Ｓが小さい点、および補助土作業体47を備えていない点で図１に示す部分深耕機１とは異なるが、その他の構成および作用効果は図１に示す部分深耕機１と基本的に同じである。なお、図３に示す部分深耕機１のコルター43の回転中心である支軸44は、側面視でチゼル部10の先端より進行方向後方に位置する。
【００５１】
また、部分深耕機１は、コルター43が土作業体21の左端縁部の進行方向前方付近に位置決め固定された構成には限定されず、コルター43が土作業体21に対して左右位置調節可能となっている構成でもよい。
【００５２】
すなわち例えば、機枠２の枠部９の前端部およびコルター支持アーム41の上端部間に介在させる図示しない座金等の調節によりコルター43の左右位置を調節できるようにしてもよい。
【００５３】
或いは例えば図５ないし図８に示すように、図３に示す部分深耕機１においてコルター43を首振りタイプにして、コルター43を土作業体21の幅方向一端縁部（左端縁部）の進行方向前方付近の第１位置（進行方向左側位置）、土作業体21の幅方向中央部（左右方向中央部）の進行方向前方付近の第２位置（中央位置）、および土作業体21の幅方向他端縁部（右端縁部）の進行方向前方付近の第３位置（進行方向右側位置）に選択的に位置変更できるようにしてもよい。
【００５４】
図５ないし図８に示す部分深耕機１は、図３等に示すコルター支持アーム41とは異なる首振り用のコルター支持手段51を備え、このコルター支持手段51にてコルター43が左右位置調節可能に支持されている。
【００５５】
コルター支持手段51は、上部が枠部９の筒状部分9aに回動調節可能に取り付けられた第１アーム53を有し、この第１アーム53の下部に第２アーム54の前部の筒状部分54aが回動調節可能に取り付けられ、この第２アームの後部にコルター43が支軸44を中心として回転可能に設けられている。
【００５６】
また、図５ないし図８に示す反転部28は、コルター43に対応して、右斜め前方を向いた状態、進行方向前方を向いた状態、および左斜め前方を向いた状態に選択的に切換え可能となっている。
【００５７】
そして、図６に示すようにコルター43が第１位置に位置しかつ反転部28が右斜め前方を向いた状態では切削土は進行方向右側へのみ放てきされ、図７に示すようにコルター43が第２位置に位置しかつ反転部28が進行方向前方を向いた状態では切削土は左右両側に分配放てきされ、図８に示すようにコルター43が第３位置に位置しかつ反転部28が左斜め前方を向いた状態では切削土は進行方向左側へのみ放てきされる。
【００５８】
また、いずれの実施の形態においても、コルター43の形状は任意であり、例えばカットウエイでもよく、ウエーブでもよい。
【００５９】
さらに、土作業体21は、互いに別体の切削部25および反転部28にて構成された作業面部分割タイプには限定されず、合成樹脂製或いは金属製の１枚状の板（例えばねじり板、或いはねじられていない板等）にて構成された作業面部一体タイプ等でもよい。また土作業体21の作用面部24，27は、合成樹脂製でも金属製でもよく、その形状も任意である。
【００６０】
また、土作業体21は、上部に反転曲面を有しない構成でもよい。
【００６１】
さらに、部分深耕機１は、コルター43および土作業体21をそれぞれ１つずつ備えた構成には限定されず、前後で対をなすコルター43および土作業体21を複数対備えた構成でもよい。
【００６２】
また、部分深耕機１は、土作業体21がトラクタ側からの動力で振動する構成等でもよい。
【００６３】
さらに、コルター43を土作業体21に対して前後位置調節可能にしたり上下位置調節可能にしたりしてもよい。
【図面の簡単な説明】
【００６４】
【図１】本発明の部分深耕機の一実施の形態を示す側面図である。
【図２】同上部分深耕機の背面図である。
【図３】本発明の部分深耕機の他の実施の形態を示す側面図である。
【図４】同上部分深耕機の背面図である。
【図５】本発明の部分深耕機のさらに他の実施の形態を示す側面図である。
【図６】同上部分深耕機のコルター左配置の平面図である。
【図７】同上部分深耕機のコルター中央配置の平面図である。
【図８】同上部分深耕機のコルター右配置の平面図である。
【符号の説明】
【００６５】
１    部分深耕機
２    機枠
10    チゼル部
11    支持体
21    土作業体
43    コルター
【図１】
2005124470.tif 000003
【図２】
2005124470.tif 000004
【図３】
2005124470.tif 000005
【図４】
2005124470.tif 000006
【図５】
2005124470.tif 000007
【図６】
2005124470.tif 000008
【図７】
2005124470.tif 000009
【図８】
2005124470.tif 000010